(57)【要約】【課題】ラップフィルムにテンションを掛ける操作をしなくても、ラップフィルムを良好に切断することできるラップ詰め替えボックスを提供すること。【解決手段】ラップロールを収納しラップフィルムＦを箱外へ繰り出して付設するカッター１４で切断し使い切ると新しいラップロールを収容し継続使用するラップ詰め替えボックスである。ラップフィルム切断手段Ｃは、箱外へ繰り出すラップフィルムＦの両側にかつ幅方向に沿って対向して設けられ相対的に接近離隔自在である雌型噛合部１６と雄型噛合部１７とを有し、雌型噛合部１６にはフィルム幅よりも長い溝部１６ａを有し、雄型噛合部１７には前記溝部１６ａに対してその溝部内両側面との間にラップフィルムＦを挟んで嵌入する二条突起１７ａを有し、カッター１４は、溝部１６ａの底面幅中央に備えられ雄型噛合部１７の二条突起１７ａが雌型噛合部１６の溝部１６ａに嵌入するときに二条突起１７ａ間に相対的に進入するように構成されている。【選択図】図１
2010047284.tif 000002
【特許請求の範囲】
【請求項１】
ラップロールを収納しラップフィルムを箱外へ繰り出してカッターを含むラップフィルム切断手段により切断し、使い切ると新しいラップロールを収容し継続使用するラップ詰め替えボックスにおいて、
前記ラップフィルム切断手段は、
前記箱外へ繰り出すラップフィルムの両側にかつ幅方向に沿って対向していていずれか一方が他方に対して接近離隔自在である雌型噛合部と雄型噛合部とを有し、
前記雌型噛合部にはフィルム幅よりも長い溝部を有し、前記雄型噛合部には前記溝部に対してその溝部内両側面との間にラップフィルムを挟んで嵌入する二条突起を有し、
前記カッターが、前記溝部の底面幅中央に備えられ前記雄型噛合部の二条突起が前記雌型噛合部の溝部に嵌入するときに前記二条突起間に相対的に進入するように構成された、
ことを特徴とするラップ詰め替えボックス。
【請求項２】
前記ラップフィルム切断手段は、収納箱本体部の一側面に箱外へ繰り出すラップフィルムを通すスリットを備え、前記収納箱本体部の一側面の外面の前記スリットを挟む領域に備えられ、
前記スリットの上方にある前記雌型噛合部と前記雄型噛合部のいずれか一方を下方向に前記スリットを通り越して移動し他方に嵌合させることにより、前記カッターが前記二条突起間に進入するように構成された、
ことを特徴とする請求項１に記載のラップ詰め替えボックス。
【請求項３】
前記ラップ詰め替えボックスは、収納箱本体部と、蓋部と、前記蓋部の前端縁に連接された垂下片部と、を有するラップ詰め替えボックスであって、
前記ラップフィルム切断手段は、前記雌型噛合部と前記雄型噛合部のいずれか一方が前記垂下片部に配設され、他方が、前記収納箱本体部の前記垂下片部が重なる一側面の外面に配設され、前記蓋部を閉じることにより、前記カッターが前記二条突起間に進入するように構成された、
ことを特徴とする請求項１に記載のラップ詰め替えボックス。
【請求項４】
前記ラップフィルム切断手段は、前記雌型噛合部と前記雄型噛合部とが、前記蓋部の回転中心を中心とする円弧上を相対的に接近離隔自在であり、前記蓋部を閉じることにより、前記カッターが前記二条突起間に進入するように構成された、
ことを特徴とする請求項３に記載のラップ詰め替えボックス。
【請求項５】
前記ラップフィルム切断手段は、前記雌型噛合部と前記雄型噛合部のいずれか一方が前記垂下片部に移動可能に配設され、他方が、前記収納箱本体部の前記垂下片部が重なる一側面の外面に固設され、前記蓋部を閉じ更に前記雌型噛合部と前記雄型噛合部との一方を他方に向かって移動することにより、前記カッターが前記二条突起間に進入するように構成された、
ことを特徴とする請求項３に記載のラップ詰め替えボックス。
【発明の詳細な説明】
【技術分野】
【０００１】
本発明は、食品等をラップ包装するためのラップフィルムを巻回したラップロールを収容し、適宜長さごとに備付けのカッターにより切断して使用し、使い切ると新しいラップロールを収容し継続使用するラップ詰め替えボックスに関する。
【背景技術】
【０００２】
一般に、従来のラップ詰め替えボックスは、備付けのカッターによりラップフィルムを切断する。ラップフィルムの切断について詳述すると、収納箱本体部に収納したラップロールからラップフィルムを箱外へ所望の長さ繰り出し、収納箱本体部の外面と、蓋部又は蓋部より延在し収納箱本体部の前壁部外面に重なる垂下片部と、によりラップフィルムを押さえ、該ラップフィルムにテンションを掛けつつ備付けのカッターに押圧して切断する。
【０００３】
特に、従来のラップ詰め替えボックスの前壁部に、ラップフィルムに全幅に均等な張力がかかりラップフィルムがラップロールからしわの発生や偏りの生じない状態で繰り出されるように機能するスリット又は同等のガイド手段を備えたものが提案されている（特許文献１参照）。
【０００４】
【特許文献１】特開２０００−２０３５６７号公報
【発明の開示】
【発明が解決しようとする課題】
【０００５】
上記従来のラップ詰め替えボックスによれば、ラップフィルムの幅方向の一端でカッターのフィルムを突き破る力が強くなるようにラップフィルムにテンションを掛けることにより該一端を切断し、ラップフィルムに掛けるテンションをフィルム幅方向に移動することによりフィルム全幅を良好に切断し得、ラップフィルムにテンションを掛ける操作をしなければ、ラップフィルムを良好に切断することが難しい、という問題がある。
【０００６】
本発明は、上記した事情にかんがみ案出されたものであり、その課題とするところは、ラップフィルムにテンションを掛ける操作をしなくても、ラップフィルムを良好に切断することできるラップ詰め替えボックスを提供することにある。
【課題を解決するための手段】
【０００７】
上記課題を解決するために、本発明の包装用ラップ詰め替えボックスは、ラップロールを収納しラップフィルムを箱外へ繰り出してカッターを含むラップフィルム切断手段により切断し、使い切ると新しいラップロールを収容し継続使用するラップ詰め替えボックスにおいて、前記ラップフィルム切断手段は、前記箱外へ繰り出すラップフィルムの両側にかつ幅方向に沿って対向していていずれか一方が他方に対して接近離隔自在である雌型噛合部と雄型噛合部とを有し、前記雌型噛合部にはフィルム幅よりも長い溝部を有し、前記雄型噛合部には前記溝部に対してその溝部内両側面との間にラップフィルムを挟んで嵌入する二条突起を有し、前記カッターが、前記溝部の底面幅中央に備えられ前記雄型噛合部の二条突起が前記雌型噛合部の溝部に嵌入するときに前記二条突起間に相対的に進入するように構成された、ことを特徴とする。
【０００８】
この構成にすると、包装用ラップ詰め替えボックスに収納したラップロールからラップフィルムを箱外へ繰り出し、雌型噛合部と雄型噛合部との間に通し、雌型噛合部と雄型噛合部とを嵌合させると、雄型噛合部の二条突起が雌型噛合部の溝部に対して嵌入していき、二条突起の両側面と溝部の側面部とがラップフィルムを挟圧し二条突起間に緊張状態に張った状態になり、カッターが緊張状態のラップフィルムを突き破り二条突起間に進入するので、従来のように、ラップフィルムにテンションを掛ける手動操作をしなくても、ラップフィルムを良好に切断することできる。
【０００９】
本発明では、前記ラップフィルム切断手段は、収納箱本体部の一側面に箱外へ繰り出すラップフィルムを通すスリットを備え、前記収納箱本体部の一側面の外面の前記スリットを挟む領域に備えられ、前記スリットの上方にある前記雌型噛合部と前記雄型噛合部のいずれか一方を下方向に前記スリットを通り越して移動し他方に嵌合させることにより、前記カッターが前記二条突起間に進入するように構成することが好ましい。
【００１０】
この構成にすると、ラップロールから繰り出すラップフィルムをスリットに通して箱外へ導くことで雌型噛合部と雄型噛合部との間に通すことができる。スリットの上方まで持ち上げた雌型噛合部と雄型噛合部のいずれか一方を、再び下降して他方に嵌合させると、雄型噛合部の二条突起がラップフィルムの溝内部分にテンションを与えて雌型噛合部の溝部に対して嵌入していき、カッターが緊張状態のラップフィルムを突き破り、ラップフィルムを良好に切断することができる。
【００１１】
本発明では、前記ラップ詰め替えボックスは、収納箱本体部と、蓋部と、前記蓋部の前端縁に連接された垂下片部と、を有するラップ詰め替えボックスであって、前記ラップフィルム切断手段は、前記雌型噛合部と前記雄型噛合部のいずれか一方が前記垂下片部に配設され、他方が、前記収納箱本体部の前記垂下片部が重なる一側面の外面に配設され、前記蓋部を閉じることにより、前記カッターが前記二条突起間に進入するように構成することが好ましい。
【００１２】
この構成にすると、蓋部を開いてラップフィルムを所要長さ箱外へ繰り出し、蓋部を閉めると、雌型噛合部と雄型噛合部とが嵌合し、雄型噛合部の二条突起がラップフィルムの溝内部分にテンションを与えて雌型噛合部の溝部に対して嵌入していき、カッターが緊張状態のラップフィルムを突き破り二条突起間に進入するので、ラップフィルムにテンションを掛ける操作をしなくても、ラップフィルムを良好に切断することができる。
【００１３】
この構成は更に、以下の２つの異なった構成を選択的に含んでいる。
一の構成として、前記蓋部と前記垂下片部とが一体に設けられ、前記ラップフィルム切断手段は、前記垂下片部に一体に設けられた前記雌型噛合部と前記雄型噛合部のうちいずれか一方と、前記収納箱本体部に一体に設けられた他方とが、前記蓋部の回転中心を中心とする円弧方向に相対的に接近離隔自在であり、前記蓋部を閉じることにより、前記カッターが前記二条突起間に進入することが好ましい。
【００１４】
この構成によれば、蓋部を開けてラップフィルムを引き出し蓋部を閉じると、雌型噛合部と雄型噛合部との嵌合離脱が蓋部の回転中心を中心とする円弧方向に行われ、雌型噛合部と雄型噛合部との嵌合がずれないとともに、カッターの位置が雄型噛合部に対してずれないので、雄型噛合部の二条突起がラップフィルムの溝内部分にテンションを与えて雌型噛合部の溝部に対して嵌入していき、カッターが緊張状態のラップフィルムを突き破り二条突起間に進入し、ラップフィルムを良好に切断することができる。この構成によれば、蓋部を閉じると雌型噛合部及び雄型噛合部が、収納箱本体部又は蓋部に一体に配設され、スライド構造ではないので、収納箱本体部と蓋部との枢着が壊れない限り半永久的に雌型噛合部と雄型噛合部との嵌合離脱が良好に行われる。
【００１５】
他の一の構成として、前記ラップフィルム切断手段は、前記雌型噛合部と前記雄型噛合部のいずれか一方が前記垂下片部に移動可能に配設され、他方が、前記収納箱本体部の前記垂下片部が重なる一側面の外面に固設され、前記蓋部を閉じ更に前記雌型噛合部と前記雄型噛合部との一方を他方に向かって移動することにより、前記カッターが前記二条突起間に進入することが好ましい。
この構成によれば、蓋部を閉じ、次いで、垂下片部に設けられた前記雌型噛合部と前記雄型噛合部のいずれか一方を移動可能することで、該一方を他方に対して嵌合することができ、それによって、雄型噛合部の二条突起がラップフィルムの溝内部分にテンションを与えて雌型噛合部の溝部に対して嵌入していき、カッターが緊張状態のラップフィルムを突き破り二条突起間に進入し、ラップフィルムを良好に切断することができる。
【発明の効果】
【００１６】
本発明によれば、ラップフィルムにテンションを掛ける操作をしなくても、ラップフィルムを良好に切断することできるラップ詰め替えボックスを提供することができる。
【発明を実施するための最良の形態】
【００１７】
以下に、本発明の実施の形態に係るラップ詰め替えボックスについて図面を参照して説明する。
【００１８】
〔基本的構成〕
図２、図６及び図１０に示すいずれの包装用ラップ詰め替えボックス１０Ａ、１０Ｂ、１０Ｃは、包装用のラップロールＲを収納しラップフィルムＦを箱外へ繰り出して適宜長さで切断し使い切ると新しいラップロールＲを収容し継続使用するタイプのラップ詰め替えボックスである。
【００１９】
包装用ラップ詰め替えボックス１０Ａ、１０Ｂ、１０Ｃは、いずれも、図１に示すように、ボックス内に収容されたラップロールＲから繰り出すラップフィルムＦを箱外へ繰り出しカッター１４で切断するラップフィルム切断手段Ｃを備えていることが特徴である。
【００２０】
ラップフィルム切断手段Ｃは、雌型噛合部１６と雄型噛合部１７とを有してなる。雌型噛合部１６は、フィルム幅よりも長い溝部１６ａを有してなる。雄型噛合部１７は、溝部１６ａに対してその溝部内両側面との間にラップフィルムＦを挟んで嵌入する二条突起１７ａを有してなる。カッター１４は、溝部１６ａの底面幅中央に備えられ雄型噛合部１７の二条突起１７ａが雌型噛合部１６の溝部１６ａに嵌入するときに二条突起１７ａ間に相対的に進入するように備えられている。雌型噛合部１６と雄型噛合部１７とは、天地逆の配置に備えられていても良い。雌型噛合部１６と雄型噛合部１７は、箱外へ繰り出すラップフィルムＦの両側に設けられいずれか一方が他方にまたは両方が互いに接近離隔自在であれば良い。
【００２１】
包装用ラップ詰め替えボックス１０Ａ、１０Ｂ、１０Ｃは、いずれも、上記構成のラップフィルム切断手段Ｃを備えているので、従来のように、ラップフィルムにテンションを掛ける手動操作をしなくても、以下のように、ラップフィルムＦを良好に切断することできる。
まず、包装用ラップ詰め替えボックス１０に収納したラップロールＲから、図１（ａ）に示すように、ラップフィルムＦを箱外へ繰り出し、雌型噛合部１６と雄型噛合部１７との間に通す。そして、図１（ｂ）に示すように、雌型噛合部１６と雄型噛合部１７とを嵌合させると、二条突起１７ａが溝部１６ａに対し嵌入していく。すると、図１（ｃ）に示すように、二条突起１７ａの両側面とこれに対向する溝部１６ａの側面部とがラップフィルムＦを挟圧する。このため、従来において行っていたラップフィルムにテンションを掛ける手掴みして牽引する操作を行わなくても、ラップフィルムＦは、二条突起１７ａ間に緊張状態に張られた状態になり、このまま、二条突起１７ａが溝部１６ａに対して更に深く嵌入していく。従って、カッター１４は、緊張状態のラップフィルムＦを突き破り二条突起１７ａ間に進入する。
その後、図１（ｄ）に示すように、雌型噛合部１６と雄型噛合部１７とが当接停止する。このとき、ラップロールＲから繰り出されたラップフィルムＦの先端は、二条突起１７ａの箱側の側面と溝部１６ａの箱側の側面部とに挟圧されたままとなる。また、箱外へ繰り出されたラップフィルムＦの後端は、二条突起１７ａの箱外側の側面と溝部１６ａの外方側の側面部とに挟圧されたままとなる。図１（ａ）に示すように、雌型噛合部１６と雄型噛合部１７とを離間させると、ラップロールＲから繰り出されたラップフィルムＦの先端及び箱外へ繰り出されたラップフィルムＦの後端は、自由になり、そして、ラップロールＲからラップフィルムＦの次の繰り出しを行うことができる。
【００２２】
〔第１の実施形態〕
図２は、第１の実施形態に係るラップ詰め替えボックス１０Ａの斜視図を示す。図３〜図５は、ラップ詰め替えボックス１０Ａの動作を説明するための工程図を示す。
この実施形態のラップ詰め替えボックス１０Ａは、収納箱本体部１１と蓋部１２とを備え、蓋部１２と関わりなくラップフィルムＦを箱外へ繰り出すことができるスリット１５を収納箱本体部１１に備え、該スリット１５を通して箱外へ繰り出すラップフィルムＦを切断するラップフィルム切断手段Ｃを備えていることが特徴である。
【００２３】
収納箱本体部１１は、前側面部１１ａと、底面部１１ｂと、後側面部１１ｃと、両側の端面部１１ｄ、１１ｅとで形成するラップロールＲを収容するための直方体の収容空間を有する。蓋部１２は、後側面部１１ｃの上端に例えば蝶番等の連結具２０により取り付けられている。収納箱本体部１１と蓋部１２は、プラスチック成形であることが好ましいが、これに限定されない。収納箱本体部１１に収納される包装用のラップロールＲは、ラップフィルムＦを箱外へ繰り出して適宜長さで切断し使い切ると新しいものが収容される。
【００２４】
箱外へ繰り出すラップフィルムＦを通すための開口であるスリット１５は、この実施形態では、前側面部１１ａに設けられ、これに対応して、このスリット１５を挟む領域にラップフィルム切断手段Ｃも前側面部１１ａに設けられる。ラップフィルム切断手段Ｃは、スリット１５を挟む上下配置に雌型噛合部１６と雄型噛合部１７とを有してなる。この実施形態では、雄型噛合部１７が、スリット１５の上方にかつ前側面部１１ａにスライド可能に備えられ、スリット１５を通り越して下降移動され、スリット１５の下方に備えられた雌型噛合部１６に対向して接近し、二条突起１７ａを溝部１６ａ内に嵌入するとともに、カッター１４が二条突起１７ａ間に進入するように構成されている。
【００２５】
雄型噛合部１７を上下方向に案内するガイドとして、前側面部１１ａの外面に断面Ｔ字型の突条ガイド１８ａが備えられているとともに、雄型噛合部１７の前側面部１１ａへの重ね合わせ面に断面Ｃ溝型の凹条ガイド１８ｂが備えられていて、凹条ガイド１８ｂは、雄型噛合部１７の上端から二条突起１７ａの内側部分を分断して形成され、突条ガイド１８ａに嵌合されている。手操作による雄型噛合部１７の安定した昇降が確保されるようにするために、突条ガイド１８ａと凹条ガイド１８ｂとからなるガイドは、長手方向に適度に離間して設けられ、かつ、中間位置に、雄型噛合部１７を昇降するための把手１９が備えられている。
【００２６】
上記のように構成されたラップ詰め替えボックス１０Ａによれば、ラップフィルム切断手段Ｃに関わらず、蓋部１２を開いて収納箱本体部１１にラップロールＲを収容できる。ラップロールＲから繰り出すラップフィルムＦを、スリット１５に通し箱外へ導くことで雌型噛合部１６と雄型噛合部１７との間に通すことができ（図３参照）、蓋部１２を閉じ、その後のラップフィルムＦの繰出しは蓋部１２と関係なく行うことができ、ラップフィルムＦを箱外へ繰り出しときに、蓋部１２を開け閉めする必要がない。把手１９を掴み、スリット１５に関し、上方にある雄型噛合部１７を下降して、下方にある雌型噛合部１６に嵌合させると、上記の基本的構成において説明したように、ラップフィルムＦを緊張状態に張ってカッター１４によりカットすることができる（図４、図５参照）。雄型噛合部１７を上昇復帰させスリット１５の上方まで持ち上げることにより、ラップロールＲから箱外へ繰り出している新しい先端部分を掴んで引出すことができる（図３参照）。すなわち、蓋部１２の開閉との関連性が切り離されて、ラップフィルムＦを箱外への繰り出しを行うことができる。
【００２７】
〔第２の実施形態〕
図６は、第２の実施形態に係るラップ詰め替えボックス１０Ｂの斜視図を示す。図７〜図９は、ラップ詰め替えボックス１０Ｂの動作を説明するための工程図を示す。
この実施形態のラップ詰め替えボックス１０Ｂは、収納箱本体部１１と、蓋部１２と、蓋部１２の前端縁に連接された垂下片部１３とを有し、蓋部１２と垂下片部１３とが直角に折れ曲がったアングル形状に形成されており、そして、上記の基本的構成において説明したラップフィルム切断手段Ｃを構成する雄型噛合部１７が垂下片部１３の先端に固定して備えられ、雌型噛合部１６が収納箱本体部１１の前側面部１１ａに備えられ、蓋部１２を閉じると、二条突起１７ａが溝部１６ａに嵌入しカッター１４でラップフィルムＦを切断できることが特徴である。
なお、この実施形態では、雌型噛合部１６が収納箱本体部１１の前側面部１１ａに備えられ、雄型噛合部１７が蓋部１２に備えられるが、逆の配置であっても良い。
【００２８】
この実施形態では、収納箱本体部１１の前側面部１１ａの上端部に切欠部１１ａ’が設けられている。従って、ラップフィルムＦを切欠部１１ａ’に通して箱外への繰出すことができる。これにより、ラップフィルムＦの箱外への繰出し位置が雌型噛合部１６に近くなるようにして、蓋部１２の開閉ストロークが小さくしてもラップフィルムＦの箱外への繰出しが可能である。
【００２９】
蓋部１２がヒンジ等の連結具２１により収納箱本体部１１の左右側面部１１ｄ、１１ｅの上端部に取り付けられ収納箱本体部１１の上部開口を開閉自在とされている。この連結具２１は、蓋部１２の両端に備えられた軸孔を有するブラケット２１ａと、収納箱本体部１１の両側の端面に備えられたピボット軸２１ｂを有し、ブラケット２１ａの軸孔にピボット軸２１ｂが嵌合されてなる。垂下片部１３の上端中央には、蓋部１２を開閉するための把手１９が備えられている。
【００３０】
雄型噛合部１７は、垂下片部１３より外方へ延在するフランジ部１７ｂと、このフランジ部１７ｂに固定状態に組付けられた二条突起１７ａとを有し、更に、二条突起１７ａの上面部１７ａ’に連結用ピン１７ｃが付設され、この連結用ピン１７ｃがフランジ部１７ｂに穿設された連結用小孔に嵌挿されることにより、二条突起１７ａがフランジ部１７ｂに組付けられている。フランジ部１７ｂは、ピボット軸２１ｂの中心と結ぶ線上に延在され、二条突起１７ａは、フランジ部１７ｂに直角方向に延在されている。
雄型噛合部１７は、蓋部１２がピボット軸２１ｂを回転中心として回動（開閉）されるときに蓋部１２と一体に揺動し、二条突起１７ａを常に回動方向に向けた状態を保持する。
【００３１】
雌型噛合部１６は、収納箱本体部１１に一体に形成され、溝部１６ａがピボット軸２１ｂを回転中心として円弧上に傾いていて、至近距離に接近する二条突起１７ａに対向する。従って、雌型噛合部１６の溝部１６ａと雄型噛合部１７の二条突起１７ａとは、干渉を起こさないで嵌合することができる関係に配設されている。
【００３２】
上記のように構成されたラップ詰め替えボックス１０Ｂによれば、蓋部１２を開いて収納箱本体部１１にラップロールＲを収容でき、ラップロールＲから繰り出すラップフィルムＦを、箱外へ導くことで雌型噛合部１６と雄型噛合部１７との間に通すことができる（図７参照）。蓋部１２を閉じると、蓋部１２と一体の雄型噛合部１７が回動して、該雄型噛合部１７を収納箱本体部１１に一体に形成された雌型噛合部１６に嵌合させることができ、上記の基本的構成において説明したように、ラップフィルム切断手段ＣがラップフィルムＦを緊張状態に張ってカッター１４によりカットすることができる（図８、図９参照）。蓋部１２を開くと、ラップロールＲから箱外へ繰り出している新しい先端部分を掴んで引出すことができる（図７参照）。
【００３３】
この構成によれば、蓋部１２を開けてラップフィルムＦを引き出し、蓋部１２を閉じると、雌型噛合部１６と雄型噛合部１７との嵌合離脱が蓋部１２の回転中心を中心とする円弧方向に行われ、雌型噛合部１６と雄型噛合部１７との嵌合がずれないとともに、カッター１４の位置が雄型噛合部１７に対してずれないので、雄型噛合部１７の二条突起１７ａがラップフィルムＦの溝内部分にテンションを与えて雌型噛合部１６の溝部１６ａに対して嵌入していき、カッター１４が緊張状態のラップフィルムＦを突き破り二条突起１７ａ間に進入し、ラップフィルムＦを良好に切断することができる。
この構成によれば、雌型噛合部１６及び雄型噛合部１７が収納箱本体部１１又は蓋部１２に一体に配設され、雌型噛合部１６と雄型噛合部１７との嵌合が蓋部１２を閉じることで行われ、収納箱本体部１１と蓋部１２との枢着が壊れない限り半永久的に雌型噛合部１６と雄型噛合部１７との嵌合離脱が良好に行われ、ラップフィルムＦの良好な切断を永く保持できる。
【００３４】
〔第３の実施形態〕
図１０は、第３の実施形態に係るラップ詰め替えボックス１０Ｃの斜視図を示す。図１１〜図１２は、ラップ詰め替えボックス１０Ｃの動作を説明するための工程図を示す。
この実施形態のラップ詰め替えボックス１０Ｃは、収納箱本体部１１と、蓋部１２と、蓋部１２の前端縁に連接された垂下片部１３とを有し、蓋部１２と垂下片部１３とが直角に折れ曲がったアングル形状に形成されており、そして、上記の基本的構成において説明したラップフィルム切断手段Ｃを構成する雄型噛合部１７が垂下片部１３の先端に可動可能に備えられ、雌型噛合部１６が収納箱本体部１１の前側面部１１ａに備えられ、蓋部１２を閉じると、二条突起１７ａが溝部１６ａに対向する位置になり、さらに雄型噛合部１７を雌型噛合部１６に向かって押動することにより、二条突起１７ａが溝部１６ａに対して嵌入していき、カッター１４でラップフィルムＦを切断できることが特徴である。
なお、この実施形態では、雌型噛合部１６が収納箱本体部１１の前側面部１１ａに備えられ、雄型噛合部１７が蓋部１２に備えられるが、逆の配置であっても良い。
【００３５】
この実施形態では、第２の実施形態と同様に、収納箱本体部１１の前側面部１１ａの上端部に切欠部１１ａ’が設けられ、ラップフィルムＦを切欠部１１ａ’に通して箱外への繰出すことができる。
蓋部１２は、ヒンジ等の連結具２２により収納箱本体部１１に取り付けられ、収納箱本体部１１の上部開口を開閉自在とされている。
【００３６】
雄型噛合部１７は、二条突起１７ａと、フランジ部１７ｂと、ガイド軸１７ｄと、ガイド１７ｅと、付勢手段（巻きばね）１７ｆと、押下げ板１７ｇとを備えてなる。フランジ部１７ｂは、垂下片部１３より外方へ延在する。二条突起１７ａは、上面連結部１７ａ’にガイド軸１７ｄを有し、このガイド軸１７ｄをフランジ部１７ｂに設けられたガイド１７ｅに下から挿通され、ガイド１７ｅを巻いて設けられた付勢手段１７ｆを、押下げ板１７ｇの上端に固定されたガイド軸１７ｄが圧縮し、付勢手段１７ｆの付勢により上面連結部１７ａ’がフランジ部１７ｂに密着した状態に構成されている。
従って、二条突起１７ａは、フランジ部１７ｂに対し、直角方向下方に向いていて押下げ板１７ｇを押下げることにより相対的に下降移動可能・上昇復帰可能に設けられている。
【００３７】
雌型噛合部１６は、収納箱本体部１１に一体に形成され、溝部１６ａが上方に向いていて、蓋部１２が閉じたときに、溝部１６ａが雄型噛合部１７の二条突起１７ａに対し至近状態に対向し、押下げ板１７ｇを付勢手段１７ｆの付勢に抗して押し下げると、溝部１６ａが二条突起１７ａに干渉を起こさないで嵌合することができる関係に配設されている。
【００３８】
上記のように構成されたラップ詰め替えボックス１０Ｃによれば、蓋部１２を開いて収納箱本体部１１にラップロールＲを収容でき、ラップロールＲから繰り出すラップフィルムＦを、箱外へ導くことで雌型噛合部１６と雄型噛合部１７との間に通すことができる（図１１参照）。蓋部１２を完全に閉じると、蓋部１２と一体の雄型噛合部１７が、収納箱本体部１１に一体に形成された雌型噛合部１６に至近距離に対向する。引き続いて、押下げ板１７ｇを付勢手段１７ｆの付勢に抗して押し下げると、二条突起１７ａが下降して溝部１６ａに干渉を起こさないで嵌合していき、上記の基本的構成において説明したように、ラップフィルム切断手段ＣがラップフィルムＦを緊張状態に張ってカッター１４によりカットすることができる（図１２、図１３参照）。蓋部１２を開くと、ラップロールＲから箱外へ繰り出している新しい先端部分を掴んで引出すことができる（図１１参照）。
【００３９】
〔その他の実施形態〕
本発明は上記実施形態に限定されるものでなく、特許請求の範囲に記載された発明の要旨を逸脱しない範囲内での種々、設計変更した形態が技術的範囲に含まれるものである。
【図面の簡単な説明】
【００４０】
【図１】本発明の実施の形態に共通するラップ詰め替えボックスの要部を示す工程図である。
【図２】一実施形態に係るラップ詰め替えボックスの斜視図である。
【図３】図２のラップ詰め替えボックスの一動作を示す工程図である。
【図４】図３の次の動作を示す工程図である。
【図５】図４の次の動作を示す工程図である。
【図６】他の実施形態に係るラップ詰め替えボックスの斜視図である。
【図７】図６のラップ詰め替えボックスの一動作を示す工程図である。
【図８】図７の次の動作を示す工程図である。
【図９】図８の次の動作を示す工程図である。
【図１０】他の実施形態に係るラップ詰め替えボックスの斜視図である。
【図１１】図１０のラップ詰め替えボックスの一動作を示す工程図である。
【図１２】図１１の次の動作を示す工程図である。
【図１３】図１２の次の動作を示す工程図である。
【符号の説明】
【００４１】
１０Ａ、１０Ｂ、１０Ｃ  ラップ詰め替えボックス
Ｒ  ラップロール
Ｆ  ラップフィルム
Ｃ  ラップフィルム切断手段
１１  収納箱本体部
１２  蓋部
１３  垂下片部
１４  カッター
１５  スリット
１６  雌型噛合部
１６ａ  溝部
１７  雄型噛合部
１７ａ  二条突起
【図１】
2010047284.tif 000003
【図２】
2010047284.tif 000004
【図３】
2010047284.tif 000005
【図４】
2010047284.tif 000006
【図５】
2010047284.tif 000007
【図６】
2010047284.tif 000008
【図７】
2010047284.tif 000009
【図８】
2010047284.tif 000010
【図９】
2010047284.tif 000011
【図１０】
2010047284.tif 000012
【図１１】
2010047284.tif 000013
【図１２】
2010047284.tif 000014
【図１３】
2010047284.tif 000015